(57)【要約】【課題】  従来の技術では、映像データ等の変換予約通知機能はあったものの、コンテンツからユーザの所望する部分を抽出する機能を提供することは考慮されていなかった。  また、コンテンツ変換時に完了時間を最短にする技術では、必ずしもユーザ所望の部分を抽出した結果が得られないことがあった。【解決手段】  本発明では、上述のような課題に対して、コンテンツに関する特徴点情報を活用し、ユーザ所望の内容を抽出、特徴点近傍のコンテンツは変換レート（変換時に必要な符号量）を上げ、その他は変換レートを下げ、全体の変換時間を調整しながら変換するようにする。また、ユーザが指定した情報をコンテンツ中に明示した形で提供する。【選択図】  図３
2012231349.tif 000002
【特許請求の範囲】
【請求項１】
ネットワークに接続可能なストレージ装置であって、
ネットワークを介してデータを送受信する送受信部と、
コンテンツを格納するストレージと、
前記ストレージに格納されるコンテンツに含まれる映像データから、特定の映像に関連する映像データを抽出する認識処理部と、
前記認識処理部により抽出された映像データに基づき、格納されるコンテンツを変換する変換部と、
を有し、
前記変換部で変換されたデータを送信する、
ストレージ装置。
【請求項２】
請求項１記載のストレージ装置であって、
前記認識処理部は、ユーザにより指定される特徴情報に基づいて、前記ストレージに格納されるコンテンツに含まれる映像データから、特定情報に関連する映像データを抽出する、
ストレージ装置。
【請求項３】
請求項２記載のストレージ装置であって、
前記変換部は、ユーザからの変換予約を受付け、該受付けに基づいて格納されるコンテンツを変換する、
ストレージ装置。
【請求項４】
請求項３記載のストレージ装置であって、
前記ユーザからの変換予約を受付けた場合は、変換が完了した旨をユーザに送信する、
ストレージ装置。
【請求項５】
請求項２記載のストレージ装置であって、
前記変換部は、ユーザからの変換指示を受けた場合には、該指示に基づいて格納されるコンテンツをリアルタイムに変換する、
ストレージ装置。
【請求項６】
請求項２記載のストレージ装置であって、
前記変換部は、ユーザ指定の特徴情報と応じたシーンを、その他シーンに比して高画質で変換する、
ストレージ装置。
【請求項７】
請求項２記載のストレージ装置であって、
前記変換部は、ユーザ指定の特徴情報に応じた部分を明示した可能なフォーマットでコンテンツ変換する、
ストレージ装置。
【請求項８】
外部ストレージ装置に接続可能な携帯端末であって、
ユーザが、コンテンツ情報とコンテンツ長と特徴情報とを入力するキー操作部と、
前記キー操作部に入力された情報を外部ストレージ装置に送信する送信手段と、
前記ユーザが入力したコンテンツ情報とコンテンツ長と特徴情報とに関連する変換されたデータを受信する受信部と、
前記受信部が受信した変換されたデータを表示する表示部と、
を有する、
携帯端末。
【請求項９】
請求項８記載の携帯端末であって、
前記特徴情報は、顔または名前に関する情報である、
携帯端末。
【発明の詳細な説明】
【技術分野】
【０００１】
本発明は、コンテンツ変換機能を有するストレージ装置および携帯端末に関する。
【背景技術】
【０００２】
近年、映像データのデジタル化が進んだことや、ストレージ製品の価格も下がり、ユーザが手軽に映像データ等を保存するために必要なストレージ製品として、ビデオや写真、音楽データ等のコンテンツを保存するための装置を購入する機会も増えている。
【０００３】
従来のストレージに関する装置は、ユーザがコンテンツの閲覧を支援する機能を有するものについて、以下に示すように提案されている。
【先行技術文献】
【特許文献】
【０００４】
【特許文献１】特開２０１０−２６３５３２号公報
【特許文献２】特開２０１０−１１４７５５号公報
【発明の概要】
【発明が解決しようとする課題】
【０００５】
上記特許文献１の発明は、携帯機器で視聴するためのコンテンツを変換予約し、その完了を通知する機能を実現したものである。
【０００６】
上記特許文献２の発明は、コンテンツ変換をコンテンツの特徴点情報や変換フォーマットを調整し最短時間で完了する機能を提案するものである。
【０００７】
従来の技術では、映像データ等の変換予約通知機能はあったものの、コンテンツからユーザの所望する部分を抽出する機能を提供することは考慮されていなかった。
【０００８】
また、コンテンツ変換時に完了時間を最短にする技術では、必ずしもユーザ所望の部分を抽出した結果が得られないことがあった。
【０００９】
本発明の目的は、ストレージ装置および携帯端末の使い勝手を向上させることを目的とする。
【課題を解決するための手段】
【００１０】
本発明では、例えばコンテンツに関する特徴点情報を活用し、ユーザ所望の内容を抽出、特徴点近傍のコンテンツは変換レート（変換時に必要な符号量）を上げ、その他は変換レートを下げ、全体の変換時間を調整しながら変換するようにする。また、ユーザが指定した情報をコンテンツ中に明示した形で提供する。
【発明の効果】
【００１１】
本発明によれば、ストレージ装置および携帯端末の使い勝手を向上させることができる。
【図面の簡単な説明】
【００１２】
【図１】実施方法を示したハードウェア接続構成図である。（実施例１）
【図２】本発明の実施例の機能説明図である。（実施例１）
【図３】実施方法を示したソフトウェア構成図である。（実施例１）
【図４】実施方法を示したＤＢ（ファイル、顔情報）構成図である。（実施例１）
【図５】実施方法を示したＤＢ（予約情報）構成図である。（実施例１）
【図６】コンテンツ変換予約処理を示した処理フロー図である。（実施例１）
【図７】コンテンツ変換予約処理を示した処理フロー図である。（実施例２）
【図８】コンテンツ変換時の情報重畳処理を示した処理フロー図である。（実施例３）
【図９】実施方法を示した映像変換仕様説明図（実施例１）
【図１０】実施方法を示した携帯端末のハードウェア構成図（実施例１）
【発明を実施するための形態】
【００１３】
以下、本発明の実施例を説明する。
【実施例１】
【００１４】
図１は、実施方法を示したハードウェア接続構成図である。
【００１５】
１００は、本実施例における外付けストレージ装置（以下、ストレージ装置と記す）を示したものである。１１０は、本実施例における別の外付けストレージ装置を示したものであり、外付けストレージ装置１１０と同等の装置である。１２０は、モバイル端末であり、ユーザからのコマンド入力や画面表示などのＵＩ（Ｕｓｅｒ  Ｉｎｔｅｒｆａｃｅ）機能と外部機器との通信機能を備えた携帯情報端末である。１３０は、パソコン（以下、ＰＣと記す）であり、モバイル端末１２０と同様に、ユーザからのコマンド入力や画面表示などのＵＩ機能と外部機器との通信機能を備えたコンピュータ端末である。１４０は、ネットワークであり、通信機能を備えた機器が接続される。ストレージ装置１００は、ＮＡＳ（Ｎｅｔｗｏｒｋ  Ａｔｔａｃｈｅｄ  Ｓｔｏｒａｇｅ）として、ネットワーク上に接続される利用形態で、ストレージ装置１１０は、パソコン１３０に接続した利用形態を示す。
【００１６】
図１では、ストレージ装置およびモバイル端末１２０およびＰＣ１３０が、ネットワーク１４０に接続されており、相互に通信が可能である。
【００１７】
本実施例ではネットワーク１４０との接続をＬＡＮ（Ｌｏｃａｌ  Ａｒｅａ  Ｎｅｔｗｏｒｋ）に接続されているものとして説明し、ＰＣとストレージ装置Ｂとの接続をＵＳＢ（Ｕｎｉｖｅｒｓａｌ  Ｓｅｒｉａｌ  Ｂｕｓ）で接続されているものとして説明するが、ｅＳＡＴＡ（ｅｘｔｅｒｎａｌ  Ｓｅｒｉａｌ  ＡＴＡ）やその他有線、無線を問わず汎用の接続経路であっても良い。
【００１８】
図２は、本発明の実施例の機能説明図である。
【００１９】
２１０は、モバイル端末１２０の操作画面を示す。ユーザはこの画面を見ながらコンテンツの選択、変換の方法等を選択する。
【００２０】
２２０は、ストレージ装置１００に格納された、元コンテンツ（オリジナルコンテンツ）を示し、２３０は、変換後のコンテンツを示す。
【００２１】
２３１は、ユーザが指定した特徴情報として抽出された近傍のコンテンツを示し、コンテンツ長調整のため低画質に変換される可能性のある部分である。
【００２２】
２３２は、ユーザが指定した特徴情報として抽出されたコンテンツで、ユーザが指定したコンテンツ長に合わせて可能な範囲で類似の映像を抽出し、また、高画質に変換される部分である。
【００２３】
２４０は、モバイル端末１２０の操作画面２１０の表示例を示す。
【００２４】
２４１は、特徴情報指定用のインタフェースを示す。
【００２５】
２４２は、変換予約用のインタフェースを示す。
【００２６】
２４３は、再生用のインタフェースを示す。変換完了したコンテンツや、後述のリアルタイムで変換しながらの再生を行う。
【００２７】
２４４は、コンテンツ長を指定するインタフェースを示す。ここで、オリジナルのままの長さで変換するか、あるいは、ユーザ所望の長さを指定する。
【００２８】
２４５は、関連特徴情報を指定するためのインタフェースを示す。対象となるコンテンツ特有の特徴情報を指定する。例えば、運動会コンテンツなら入退場のシーン、サッカーの試合ならゴールシーンなど、ストレージ装置が予めコンテンツの解析をして取得済みの情報から提示しても良いし、関連情報をインターネットで検索した結果を提示しても良い。
【００２９】
図９は、本発明の実施例の機能で操作するコンテンツの扱いについての説明図である。
【００３０】
２５０は、オリジナルのコンテンツ２２０と同じ再生長を維持しながら、ユーザ指定の特徴情報に該当する範囲を高画質にその他を低画質に変換してサイズをモバイル端末１２０で再生するための負荷軽減を行う。
【００３１】
９１０は、ユーザ指定の特徴情報に該当するシーンの近傍の領域で、ユーザ指定長の範囲内に変換後のコンテンツが収まる場合は利用する領域の候補となるシーンを示す。ここは低画質に変換される領域である。
【００３２】
９１１は、ユーザ指定の特徴情報に該当するシーンで、高画質に変換される。
【００３３】
２３０は、前述の変換後のコンテンツ例で、ユーザ指定長がオリジナルより短い場合の例である。ユーザ指定長がオリジナルより長い場合、オリジナルの前あるいは後ろにダイジェストシーンとして付加して生成しても良い。
【００３４】
２６０は、ユーザ指定の特徴情報に該当するシーンの再生画面例を示す。特徴情報に該当する名前や、画面内の位置が判別できるような重畳表示を行う。該当シーン近傍の場合、画面中のどの辺りからユーザ指定の特徴情報に該当する人、物等が現れるかといった情報を重畳して表示しても良い。
【００３５】
図３は、実施方法を示したソフトウェア構成図である。
【００３６】
３００は、本実施例における外付けストレージ装置の処理範囲を示したものである。３０１は、本装置と接続されデータを送受信する外部装置を示す。３０１は、本実施例の装置と同様の装置でも良いし、ＰＣあるいは、その他のストレージ装置でも良い。また、外部装置は携帯端末でもよく、接続先は、単数でも複数でも良い。
【００３７】
３０２は、通信制御部を示し、外部装置とのデータの送受信制御を行う。本実施例ではＬＡＮ（Ｌｏｃａｌ  Ａｒｅａ  Ｎｅｔｗｏｒｋ）に接続されているものとして説明するが、ＵＳＢ（Ｕｎｉｖｅｒｓａｌ  Ｓｅｒｉａｌ  Ｂｕｓ）やその他汎用の接続経路であっても良い。
【００３８】
３０３は、ＣＰＵ制御部を示し、装置全体の各処理部を制御する。以降特に記載がない場合は、ＣＰＵ制御部が処理を行うものとする。
【００３９】
３０４は、ＤＢ（Ｄａｔａ  Ｂａｓｅ）操作部を示し、後述のストレージに格納されるＤＢの操作に関する処理を行う。
【００４０】
３０５は、予約制御部を示し、外部装置との間でストレージに格納されるデータのコンテンツ変換予約の処理を行う。
【００４１】
３０６は、コンテンツ制御部を示し、コンテンツ変換時にユーザ所望のコンテンツ切り出し、接合、別フォーマットへの変換を行うための制御を行う。
【００４２】
３０７は、Ｒ／Ｗ制御部を示し、ストレージに格納される各種データを読み書きする制御を行う。
【００４３】
３０８は、ストレージを示し、各種データを保存するための記録媒体である。
【００４４】
ＤＢ操作部３０４がストレージ３０８内の情報を更新する際には必ずＲ／Ｗ制御部３０７経由で処理される。よって以降特に明記されない場合は、ＤＢの更新は上記手順で行われるものとする。
【００４５】
３０９は、映像変換部を示し、静止画データや、動画データから適当なフレーム（ここでは静止画と同様）を取り出し、情報の圧縮処理を行う。例えば、画像のリサイズ処理等を示す。
【００４６】
３１０は、顔認識処理部を示し、コンテンツから顔が映っている箇所を特定し、その画像内の位置を抽出する処理を示す。本実施例では、顔認識処理としているが、認識に用いられる比較データとして認識したい物体に適したものを用いることで物体認識にも流用可能である。実施例説明のため顔認識を選択したが、前述の機能説明のような、コンテンツ特有の特徴認識処理や、シーンチェンジ、動体認識等と置き換えても良い。
【００４７】
本実施例による装置で使用するＤＢの構成例を図４に示す。
【００４８】
図に示したＤＢは、前述のＤＢ操作部３０４にて使用される。
【００４９】
４０１は、ＩＤを管理する領域を示し、ＤＢにて管理するデータの固有の番号である。新たに映像データが追加されると新たな番号が使用される。
【００５０】
４０２は、ファイル名を管理する領域を示し、映像データがストレージ３０８に格納される際にユーザが指定するか、装置が決めたファイル名が設定され、このファイル名情報を管理する。
【００５１】
４０３は、タグを管理する領域を示し、映像データが格納される装置が本体か否かに関する情報や、顔認識処理を実施された情報（図中の例では、ＦＲと表記）、サムネイル画像（図中の例では、ＦＡＣＥやＳＣＥＮＥと表記）を格納する。
【００５２】
４０４は、タグ付加情報を管理する領域を示し、映像データが格納されるタグに関する付加情報（例えば、検出した顔情報を特定するためのＩＤ等）が格納される。
【００５３】
４０５は、時間情報を示し、タグ情報に関係するシーンの位置情報が格納される。
【００５４】
次いで、特徴情報を管理するＤＢの構成例を示す。
【００５５】
４０６は、タグＩＤを示し、タグ情報が例えば顔認識に関する内容の場合、顔認識結果の管理用のユニークなＩＤを示す。
【００５６】
４０７は、ファイル名を示し、例えば顔認識に関する内容の場合、当該の顔が含まれるファイル名を格納する。
【００５７】
４０８は、特徴情報を示し、例えば顔認識に関する内容の場合、検出に使用したテンプレート番号や、特徴量を示す情報を格納する。
【００５８】
４０９は、名前タグ情報を示し、タグＩＤで管理される部品の名前情報を格納する。
【００５９】
４１０は、座標、サイズ情報を示し、例えば顔認識に関する内容の場合、認識された顔のフレーム（画像）中の位置や、顔のサイズ情報を格納する。
【００６０】
本実施例による装置で使用する予約機能にて使用するＤＢの構成例を図５に示す。
【００６１】
図に示したＤＢは、前述のＤＢ操作部３０４にて使用される。
【００６２】
５０１は、予約ＩＤを管理する領域を示し、ＤＢにて管理する予約データ固有の番号である。新たに予約データが追加されると新たな番号が使用される。
【００６３】
５０２は、ファイル名を管理する領域を示し、ユーザが予約設定対象として指定したコンテンツのオリジナルのファイル名を格納する。
【００６４】
５０３は、変換後ファイル名を示し、ここではモバイル端末から変換後のコンテンツをアクセスするための仮想ファイル名を格納する。
【００６５】
５０４は、付加情報を示し、ユーザが指定した特徴情報や、変換中の場合経過情報等を格納する。
【００６６】
５０５は、時間情報を示し、ユーザが指定したコンテンツ長（再生時間）を格納する。
【００６７】
本実施例による、ユーザがモバイル端末から予約したＮＡＳに格納されたコンテンツと、同じくユーザが指定した顔情報とコンテンツ長から、コンテンツ変換を実現する実施例１について、以下説明する。なお、モバイル端末でのコンテンツ指定等の操作や、顔認識アルゴリズム、映像のフォーマット変換アルゴリズムついては、既知の方式を採用するのでここでは説明しない。
【００６８】
図６は、コンテンツ変換予約処理を示した処理フロー図である。
【００６９】
特に記述がない場合、主に処理を司るのはＣＰＵ制御部３０３である。
【００７０】
Ｓ１０１にて、通信制御部３０２とＣＰＵ制御部３０３にて、外部のユーザ端末からのコンテンツ変換に関わる情報を取得し、ＤＢ制御部３０４にてＲ／Ｗ制御部３０７経由でストレージ３０８に予約情報を格納する。以後、情報の格納については、特に記述がない場合は、ストレージに格納される情報については同様のルートにより格納あるいは取出しが行われるものとする。
【００７１】
Ｓ１０２にて、ＣＰＵ制御部３０３が、特徴情報の有無をチェックし、有る場合は後述の指定特徴部抽出処理を行い、無い場合は指定特徴部抽出処理を行わず後段の処理に移る。
【００７２】
Ｓ１０３にて、ＣＰＵ制御部３０３が、ストレージに格納されているユーザ指定の仮想コンテンツファイルのオリジナルコンテンツについて、ＤＢ検索しながら対象部分の特定を行う。ユーザ指定の特徴情報が画像そのものであった場合、顔認識処理部３１０にて特徴情報を抽出してこの情報を使用する。例えば、ユーザが顔を特徴情報として指定している場合、当該の顔が含まれている可能性のある部分は全て、すなわち特徴情報の類似度が高いものから低いものまで含めて候補として抽出する。
【００７３】
Ｓ１０４にて、ＣＰＵ制御部３０３が、コンテンツ再生時間（コンテンツ長）指定の有無をチェックし、有る場合は後述の変換調整処理を行い、無い場合は変換調整処理を行わず後段の処理へ移る。
【００７４】
Ｓ１０５にて、ＣＰＵ制御部３０３が、ユーザ指定のあるいはユーザの端末にあったコンテンツの変換方式を選択した上で、変換後のコンテンツがユーザ指定の長さに合うように調整する。コンテンツ長を見積もり計算し、もし、指定特徴抽出部分を全て含んで変換すると指定長を超える場合、指定特徴情報を元に、差異が大きいものから順次候補から解除しながらコンテンツ長調整し、収まったところで後段の処理に移る。フローに記載しないが、もし調整不可能な場合は通信制御部３０２でその旨ユーザ端末に通知する。
【００７５】
Ｓ１０６にて、前述までで見積りされたコンテンツ変換内容にて変換予約される旨、通信制御部３０２でユーザ端末に通知する。
【００７６】
Ｓ１０７にて、予約制御部３０５がＤＢ操作部３０４経由で予約情報を更新する。
【００７７】
以後、上述で確定した予約情報に基づき映像変換部３０９、コンテンツ制御部３１０にてコンテンツ変換処理がされる。完了後、予約制御部３０５経由通信制御部３０２でユーザ端末に通知する。その後、通信制御部３０２経由で変換後のコンテンツをユーザ端末へ送信する。
【００７８】
なお、本実施例では、予約する場合に関して示したが、高性能ＣＰＵや、専用のコンテンツ変換ＬＳＩ等を搭載している場合は、上述のフロー後リアルタイムにコンテンツ変換してユーザ端末へ送信することも可能である。
【００７９】
上述により、ユーザが指定したコンテンツに関して、ユーザ所望の長さで視聴したいシーンを含む映像をユーザのモバイル端末で取得、視聴が可能となる。
【００８０】
ここで、携帯端末の動作を図１０により詳細に説明する。
【００８１】
１０００は、本実施例で対象の携帯端末を示し、以降特に記載ない場合は、コントローラ１００４が携帯端末を構成する各ユニットの制御を行い、表示は表示部１００７にて行い、音声の入出力はマイク１００８とスピーカ１００９にて行う。アンテナ１００１、トランスミッタ１００２、レシーバ１００３からなる通信制御部を有し、ストレージ装置３００と接続処理を行う。本携帯端末はユーザからの指定を入力するキー操作部１０１０を有しており、接続処理が完了したらキー操作部１０１０から入力されるユーザ指定のコンテンツ情報、コンテンツ長、特徴情報などをストレージ装置３００に送信する。この送信処理は、図２で示したモバイル端末のＧＵＩによって入力されても良い。送信された情報に基づき、上述のストレージ装置３００が変換したデータを携帯端末は受信し、この変換されたデータの再生処理をシグナルプロセッサ１００６にて行う。例えば、ユーザが１２０分のサッカーの試合をコンテンツ情報として指定し、特定の選手を特徴情報として指定する。また、ユーザがコンテンツ長として１５分を指定した場合には、この情報も送られる。この場合、ストレージ装置３００は、特定の選手の顔認識処理を行い、この選手の登場シーンを１５分に変換する。なお、コンテンツの種類によっては、ユーザ指定の特徴情報以外の該コンテンツ特有の特徴情報、例えばサッカーの試合で言えば、ゴールシーンを含めて、変換されたデータとして携帯端末に送信しても良い。
【実施例２】
【００８２】
本実施例による、ユーザがモバイル端末から予約したＮＡＳに格納されたコンテンツと、同じくユーザが指定した顔情報とコンテンツ長から、コンテンツ変換を実現する実施例２について、以下説明する。なお、実施例２は実施例１と共通部分が多いので、差分について以下記載する。
【００８３】
図７は、コンテンツ変換予約処理を示した処理フロー図である。
【００８４】
図７は、前述の実施例１のフロー図６との差分について記載する。
【００８５】
特に記述がない場合、主に処理を司るのはＣＰＵ制御部３０３である。
【００８６】
Ｓ２０１にて、ユーザ指定の変換後のコンテンツがＶＢＲ（Ｖａｒｉａｂｌｅ  ＢｉｔＲａｔｅ）をサポートの有無をチェックし、有る場合は後述の変換ビットレート配分処理を行い、無い場合は変換ビットレート配分処理を行わず後段の処理に移る。
【００８７】
Ｓ２０２にて、前述の機能説明で記した通り、当該の特徴点を含む期間を高ビットレート（高画質）に設定し、その前後の映像では低ビットレート（低画質）に設定する。
【００８８】
以降、実施例１と同様である。
【００８９】
上述により、ユーザが指定したコンテンツに関して、ユーザ所望の長さで視聴したいシーンをより高画質な状態で含む映像をユーザのモバイル端末で取得、視聴が可能となる。
【実施例３】
【００９０】
本実施例による、ユーザがモバイル端末から予約したＮＡＳに格納されたコンテンツと、同じくユーザが指定した顔情報とコンテンツ長から、コンテンツ変換を実現する実施例３について、以下説明する。なお、実施例３は実施例１、２と共通部分が多いので、差分について以下記載する。
【００９１】
図８は、コンテンツ変換時の情報重畳処理を示した処理フロー図である。
【００９２】
特に記述がない場合、主に処理はＣＰＵ制御部３０３がコンテンツ制御部３０６にて実施する。
【００９３】
Ｓ３０１にて、コンテンツ変換処理にてユーザ指定の変換コンテンツを生成する際に、当該のフレーム位置で特徴情報を顔認識処理部３１０にて抽出、もしくは３０４ＤＢ制御部にて読み出し取得する。
【００９４】
Ｓ３０２にて、当該のフレームでユーザ指定の特徴情報と合致あるいは類似する情報の有無をチェックし、有る場合は後述の特徴情報重畳処理を行い、無い場合は特徴情報重畳処理を行わず後段の処理に移る。
【００９５】
Ｓ３０３にて、フレームに当該特徴情報領域に枠線等の情報を重ねてコンテンツ変換処理を続ける。なお、変換後のコンテンツのフォーマットがタグ情報付帯に対応している場合は、タグ情報として構成しても良い。
【００９６】
上述により、ユーザが指定したコンテンツに関して、ユーザが指定した特徴情報を当該のシーンにて当該の箇所が確認できる状態で映像をユーザのモバイル端末で取得、視聴が可能となる。
【００９７】
なお、上述の実施例は夫々組み合わせて実施も可能である。
【符号の説明】
【００９８】
３００・・・本実施例における外付けストレージ装置
３０１・・・外部装置
３０２・・・通信制御部
３０３・・・ＣＰＵ制御部
３０４・・・ＤＢ（Ｄａｔａ  Ｂａｓｅ）操作部
３０５・・・予約制御部
３０６・・・コンテンツ制御部
３０７・・・Ｒ／Ｗ制御部
３０８・・・ストレージ
３０９・・・映像変換部
３１０・・・顔認識処理部
【図１】
2012231349.tif 000003
【図２】
2012231349.tif 000004
【図３】
2012231349.tif 000005
【図４】
2012231349.tif 000006
【図５】
2012231349.tif 000007
【図６】
2012231349.tif 000008
【図７】
2012231349.tif 000009
【図８】
2012231349.tif 000010
【図９】
2012231349.tif 000011
【図１０】
2012231349.tif 000012